(57)【要約】【課題】出力音声信号に生じるノイズを低減する。【解決手段】増幅装置（１００）は、ゲートドライバ回路（１１）と、外部からの入力音声信号に対してデジタル信号処理を行うデジタル信号処理部（６）であって、デジタル信号処理部（６）により処理された信号をゲートドライバ回路（１１）に入力するデジタル信号処理部（６）と、ゲートドライバ回路（１１）が出力するゲート信号によって駆動されるスイッチング素子を有する増幅部（１２）と、スピーカ（５）の状態に応じたフィードバック信号を生成し、生成したフィードバック信号をゲートドライバ回路（１１）の電源に供給するフィードバック信号生成部（３）とを備えている。【選択図】図１
2020195011.tif 000002
【特許請求の範囲】
【請求項１】
ゲートドライバ回路と、
外部からの入力音声信号に対してデジタル信号処理を行うデジタル信号処理部であって、当該デジタル信号処理部により処理された信号を前記ゲートドライバ回路に入力するデジタル信号処理部と、
前記ゲートドライバ回路が出力するゲート信号によって駆動されるスイッチング素子を有する増幅部と、
スピーカの状態に応じたフィードバック信号を生成し、生成したフィードバック信号を前記ゲートドライバ回路の電源に供給するフィードバック信号生成部と
を備えていることを特徴とする増幅装置。
【請求項２】
ゲートドライバ回路と、
外部からの入力音声信号に対してデジタル信号処理を行うデジタル信号処理部であって、当該デジタル信号処理部により処理された信号を前記ゲートドライバ回路に入力するデジタル信号処理部と、
前記ゲートドライバ回路が出力するゲート信号によって駆動されるスイッチング素子を有する増幅部と、
スピーカの状態に応じたフィードバック信号を生成し、生成したフィードバック信号を前記増幅部の電源に供給するフィードバック信号生成部と
を備えていることを特徴とする増幅装置。
【請求項３】
前記増幅部が出力する信号に作用するローパスフィルタを更に備え、
前記フィードバック信号生成部には、前記ローパスフィルタが出力する信号が入力される
ことを特徴とする請求項１または２に記載の増幅装置。
【請求項４】
ゲートドライバ回路と、
外部からの入力音声信号に対してデジタル信号処理を行うデジタル信号処理部であって、当該デジタル信号処理部により処理された信号を前記ゲートドライバ回路に入力するデジタル信号処理部と、
前記ゲートドライバ回路が出力するゲート信号によって駆動されるスイッチング素子を有する増幅部と、
前記増幅部が出力する信号に作用するローパスフィルタと、
スピーカの状態に応じたフィードバック信号を生成し、生成したフィードバック信号を前記ローパスフィルタのサブ巻き線に供給するフィードバック信号生成部と、
を備え、
前記フィードバック信号生成部には、前記ローパスフィルタが出力する信号が入力されることを特徴とする増幅装置。
【請求項５】
前記フィードバック信号生成部は、前記スピーカの状態を示す前記フィードバック信号として、当該スピーカを駆動する電流および電圧に基づいて当該スピーカの振動板の加速度を示す加速度信号を前記ゲートドライバ回路の電源に供給する
ことを特徴とする請求項１から４の何れか１項に記載の増幅装置。
【請求項６】
前記フィードバック信号生成部は、前記スピーカの状態を示す前記フィードバック信号として、当該スピーカを駆動する電流および電圧に基づいて当該スピーカの振動板の位置を示す位置信号を前記ゲートドライバ回路の前記電源に供給する
ことを特徴とする請求項１から５の何れか１項に記載の増幅装置。
【発明の詳細な説明】
【技術分野】
【０００１】
本発明は、増幅装置に関する。
【背景技術】
【０００２】
オーディオ分野において、音源のハイレゾ化が進められている。こうした状況のもと、特許文献１では、音源のネットワーク配信などではＤＳＤ（Direct Stream Digital）と呼ばれるフォーマットを用いたオーディオアンプ回路が開示されている。
【０００３】
また、特許文献２では、スピーカの状態量を常に正確に検出してフィードバックすることにより、スピーカ特性を改善することができる音響装置が開示されている。
【先行技術文献】
【特許文献】
【０００４】
【特許文献１】特開２０１６−０６３２９９号公報
【特許文献２】特開平５−３４４５９６号公報
【発明の概要】
【発明が解決しようとする課題】
【０００５】
しかしながら、上述の特許文献１は、下記の問題がある。すなわち、近年、オーディオアンプ回路のドライバにおいて、ＧａＮ等のパワーモジュールが搭載される。パワーモジュールの高速スイッチングによってＤＳＤフォーマットのオーディオ信号を増幅する場合、デジタル信号処理によってノイズを低減することは困難であるため、出力音声信号にノイズが生じる可能性がある。
【０００６】
また、上述の特許文献２は、下記の問題がある。すなわち、スピーカの状態量を検出してアンプ部にフィードバックすることにより、ノイズを低減するモーショナルフィードバック回路が開示されるが、パワーモジュールの高速スイッチングを考慮した場合、フィードバックする推定加速度等のデータをドライブアンプの入力電圧に供給する構造のため、ドライブアンプまでにノイズが混入する可能性がある。
【０００７】
本発明の一態様は、出力音声信号に生じるノイズを低減することを目的とする。
【課題を解決するための手段】
【０００８】
上記の課題を解決するために、本発明の一態様に係る増幅装置は、ゲートドライバ回路と、外部からの入力音声信号に対してデジタル信号処理を行うデジタル信号処理部であって、当該デジタル信号処理部により処理された信号を前記ゲートドライバ回路に入力するデジタル信号処理部と、前記ゲートドライバ回路が出力するゲート信号によって駆動されるスイッチング素子を有する増幅部と、スピーカの状態に応じたフィードバック信号を生成し、生成したフィードバック信号を前記ゲートドライバ回路の電源に供給するフィードバック信号生成部とを備えている。
【０００９】
上記の課題を解決するために、本発明の一態様に係る増幅装置は、ゲートドライバ回路と、外部からの入力音声信号に対してデジタル信号処理を行うデジタル信号処理部であって、当該デジタル信号処理部により処理された信号を前記ゲートドライバ回路に入力するデジタル信号処理部と、前記ゲートドライバ回路が出力するゲート信号によって駆動されるスイッチング素子を有する増幅部と、スピーカの状態に応じたフィードバック信号を生成し、生成したフィードバック信号を前記増幅部の電源に供給するフィードバック信号生成部とを備えている。
【００１０】
上記の課題を解決するために、本発明の一態様に係る増幅装置は、ゲートドライバ回路と、外部からの入力音声信号に対してデジタル信号処理を行うデジタル信号処理部であって、当該デジタル信号処理部により処理された信号を前記ゲートドライバ回路に入力するデジタル信号処理部と、前記ゲートドライバ回路が出力するゲート信号によって駆動されるスイッチング素子を有する増幅部と、前記増幅部が出力する信号に作用するローパスフィルタと、スピーカの状態に応じたフィードバック信号を生成し、生成したフィードバック信号を前記ローパスフィルタのサブ巻き線に供給するフィードバック信号生成部と、を備え、前記フィードバック信号生成部には、前記ローパスフィルタが出力する信号が入力される。
【発明の効果】
【００１１】
本発明の一態様によれば、出力音声信号に生じるノイズを低減することができる。
【図面の簡単な説明】
【００１２】
【図１】本発明の実施形態１に係る増幅装置の要部構成のブロック図である。
【図２】図１の変形例１に係る増幅装置の要部構成のブロック図である。
【図３】図１の変形例２に係る増幅装置の要部構成のブロック図である。
【図４】図１の変形例３に係る増幅装置の要部構成のブロック図である。
【図５】図１の変形例４に係る増幅装置の要部構成のブロック図である。
【図６】本発明の実施形態２に係る増幅装置の要部構成のブロック図である。
【発明を実施するための形態】
【００１３】
〔実施形態１〕
本発明の一実施形態について説明すれば以下の通りである。以下、説明の便宜上、特定の実施形態にて説明した構成と同一の機能を有する構成については、同一の符号を付記し、その説明を省略する場合がある。
【００１４】
（増幅装置の要部構成例）
図１は、本実施形態に係る増幅装置１００の要部構成のブロック図である。図１に示すように、増幅装置１００は、アンプ部１と、ローパスフィルタ２と、フィードバック信号生成部３とを備える。
【００１５】
アンプ部１は、入力信号として入力されるデジタル信号（オーディオ信号）を増幅する。ローパスフィルタ２は、アンプ部１により増幅されたデジタル信号の所望の周波数（低周波数）成分を抽出する。ローパスフィルタ２の詳細については後述する。
【００１６】
また、アンプ部１は、ゲートドライバ回路１１と、増幅部（スイッチング回路）１２とを備える。増幅部１２は、図１に示すようなスイッチング素子を有する（図示では２つのスイッチング素子）。当該スイッチング素子は、ゲートドライバ回路１１が出力するゲート信号によって駆動される。
【００１７】
一例として、増幅部１２はＦＥＴ（Field Effective Transistor）ブリッジ回路を備えて構成される。当該ＦＥＴブリッジ回路は例えば、２つのＦＥＴを備え、それぞれのＦＥＴのゲート電極にはゲードライバ回路１１からのゲート信号が個別に供給される。
【００１８】
フィードバック信号生成部３は、ローパスフィルタ２の出力信号に基づいてフィードバック信号を生成する。具体的に、フィードバック信号生成部３は、スピーカ５（図１を参照）の状態に応じたフィードバック信号を生成し、生成したフィードバック信号をゲートドライバ回路１１の電源に供給する。
【００１９】
上記の構成によれば、増幅装置１００は、ゲートドライバ回路１１と、増幅部１２と、フィードバック信号生成部３とを備えることによって、スピーカ５にて出力する出力音声信号に生じるノイズを低減することができる。
【００２０】
（ローパスフィルタの詳細）
上述したように、本実施形態における増幅装置１００では、アンプ部１と、フィードバック信号生成部３との間にローパスフィルタ２が介在されている。
【００２１】
ローパスフィルタ２は、アンプ部１、詳しくはアンプ部１における増幅部１２が出力する信号に作用する。ここでいう「作用する」に一例は、上述したアンプ部１により出力されたデジタル信号の低周波数成分を抽出することが挙げられる。
【００２２】
また、図１に示すように、フィードバック信号生成部３には、ローパスフィルタ２が出力する信号が入力される。換言すると、増幅装置１００の入力信号であるデジタル信号は、アンプ部１により受信し、ローパスフィルタ２を介して出力音声信号として出力する。
【００２３】
上記の構成によれば、増幅装置１００は、ローパスフィルタ２を備えることによって、アンプ部１にて出力されたデジタル信号の低周波数成分を好適に抽出することができる。
【００２４】
（フィードバック信号生成部の要部構成の詳細）
図１に示すように、フィードバック信号生成部３は、主に電流ＡＭＰ（電流アンプ）３１と、電圧ＡＭＰ（電圧アンプ）３２と、乗算器３３と、第１の微分回路３４と、第２の微分回路３５と、第１のミキサー３６とを備える。
【００２５】
図１に示すスピーカ５を駆動する電流および電圧を電流センサおよび不図示の電圧センサにより検出することができる。そして、乗算器３３を介すことによりスピーカ５を駆動している電力を検出することができる。
【００２６】
上記検出結果を第１の微分回路３４に通すことによりスピーカ５の不図示の振動板の速度を検出することができる。さらに、振動板の速度を示す速度信号を第２の微分回路３５に通すことにより前記振動板の加速度を検出することができる。
【００２７】
そして、振動板の速度を示す速度信号ＳＧ２と、振動板の加速度を示す加速度信号ＳＧ１とを第１のミキサー３６により混合する。これにより、スピーカ５の状態を示すフィードバック信号を生成することができる。
【００２８】
最後に、第１のミキサー３６にて生成されたフィードバック信号が一連の信号処理を経てゲートドライバ回路１１の電源に供給される。
【００２９】
図１に示す符号ＳＧＰ１は、加速度信号ＳＧ１が通る加速度信号経路（加速度信号線とも呼ばれる）を示し、符号ＳＧＰ２は、速度信号ＳＧ２が通る速度信号経路（速度信号線とも呼ばれる）を示す。
【００３０】
なお、上記の「一連の信号処理」は、例えば、一連の電子部材によって行われる構成としてもよい。その場合、当該「一連の電子部材」は、少なくとも第１のフィルタ３７と、第２のフィルタ３８と、反転ＡＭＰ３９と、第２のミキサー４０と、電圧操作パワー回路４１とを備える構成とすることができる。
【００３１】
一例として、第１のフィルタ３７は、例えば周波数が２００Ｈｚ以下の信号を通過させ、それ以外の周波数の信号を通過させない構成である。また、第２のフィルタ３８は、例えば周波数が２００Ｈｚ以上の信号を通過させ、それ以外の信号を通過させない構成である。
【００３２】
反転ＡＭＰ３９は、その入力端子を基準にして入力と出力との極性を逆極性にする増幅回路である。図１に示すように、第２のミキサー４０は、入力される信号ＳＧ３および信号ＳＧ４を混合する。電圧操作パワー回路４１は、入力される信号に基づいてゲートドライバ回路１１に印圧する電圧を調整する。
【００３３】
また、図１に示す符号ＳＧ３は、ポジティブフィードバック信号を示し、符号ＳＧＰ３は、ポジティブフィードバック信号ＳＧ３が通るポジティブフィードバック信号経路（ポジティブフィードバック信号線とも呼ばれる）を示す。
【００３４】
一方、図１に示す符号ＳＧ４は、ネガティブフィードバック信号を示し、符号ＳＧＰ４は、ネガティブフィードバック信号ＳＧ４が通るネガティブフィードバック信号経路（ネガティブフィードバック信号線とも呼ばれる）を示す。
【００３５】
そして、図１に示すように、フィードバック信号生成部３は、ゲートドライバ回路１１の電源にポジティブフィードバックまたはネガティブフィードバックする。
【００３６】
以上のように、増幅装置１００において、フィードバック信号生成部３は、スピーカ５の状態を示すフィードバック信号として、スピーカ５を駆動する電流および電圧に基づいてスピーカ５の振動板の加速度を示す加速度信号をゲートドライバ回路１１の電源に供給する。
【００３７】
上記の構成によれば、増幅装置１００は、スピーカ５の振動板の加速度を示す加速度信号をゲートドライバ回路１１の電源に供給することによって、スピーカ５にて出力する出力音声信号に生じるノイズをより好適に低減することができる。
【００３８】
（変形例１）
上記実施形態では、増幅装置において、フィードバック信号生成部は、スピーカの振動板の加速度を示す加速度信号をゲートドライバ回路の電源に供給する構成を説明したが、本発明はこれに限定されない。例えばスピーカの振動板の位置を示す位置信号をゲートドライバ回路の電源に供給する構成であってもよい。
【００３９】
図２は、本変形例に係る増幅装置１００ａの要部構成のブロック図である。増幅装置１００ａと上述の増幅装置１００との主な相違点は、増幅装置１００ａに位置信号経路（位置信号線とも呼ばれる）ＳＧＰ５と位置信号経路ＳＧＰ５を通る位置信号ＳＧ５とを更に有することである。
【００４０】
なお、説明の便宜上、上記実施形態にて説明した部材と同じ機能を有する部材については、同じ符号を付記し、その説明を繰り返さない。以下では、上記相違点を中心に説明する。
【００４１】
本変形例でも、アンプ部１は、入力信号であるオーディオ信号（デジタル信号）を増幅してローパスフィルタ２を介して、出力音声信号としてフィードバック信号生成部３ａに出力する。
【００４２】
本変形例において、一例として、前記オーディオ信号はＤＳＤフォーマットの信号である。また、アンプ部１は、ＧａＮ等を用いたスイッチング素子を含むことが挙げられる。
【００４３】
図２に示すように、本変形例において、位置信号ＳＧ５が、乗算器３３および第１のミキサー３６両方に接続された位置信号経路ＳＧＰ５を通る。
【００４４】
また、本変形例において、アンプ部１のゲートドライバ回路１１に供給する電源電圧は、フィードバック信号生成部３ａからのフィードバックを受信することで変化する。つまり、スピーカ５の状態に応じて、アンプ部１のゲートドライバ回路１１の電源電圧が変化する。
【００４５】
そのため、ゲートドライバ回路１１の電源電圧の変化量に応じて、アンプ部１のスイッチング素子のオン抵抗が増減し、アンプ部１の駆動能力が変化することにより、出力音声信号に生じるノイズの低減に寄与することができる。
【００４６】
また、フィードバック信号生成部３ａは、アンプ部１のゲートドライバ回路１１の電源電圧に対してフィードバック結果を反映する構造を有するため、従来技術、とくに上述の特許文献２に開示される技術と比較すると、ゲートドライバ回路１１までにノイズが混入する可能性を低減することができる。
【００４７】
以上のように、増幅装置１００ａにおいて、フィードバック信号生成部３ａは、スピーカ５の状態を示すフィードバック信号として、スピーカ５を駆動する電流および電圧に基づいてスピーカ５の振動板の位置を示す位置信号をゲートドライバ回路１１の電源に供給する。
【００４８】
上記の構成によれば、増幅装置１００ａは、スピーカ５の振動板の位置を示す位置信号をゲートドライバ回路１１の電源に供給することによって、スピーカ５にて出力する出力音声信号に生じるノイズをより一層好適に低減することができる。
【００４９】
（変形例２）
上記実施形態では、増幅装置において、フィードバック信号生成部は、フィードバック信号をゲートドライバ回路の電源に供給する構成を説明したが、本発明はこれに限定されない。例えばフィードバック信号を増幅部の電源に供給する構成であってもよい。
【００５０】
図３は、本変形例に係る増幅装置１００ｂの要部構成のブロック図である。増幅装置１００ｂと上述の増幅装置１００との主な相違点は、フィードバック信号の供給先が異なる。また、図３に示すように、増幅装置１００ｂにおいて、デジタル信号処理部６を備える。なお、デジタル信号処理部６は、実施形態２に説明するデジタル信号処理部６と同様な構成を有する。
【００５１】
なお、説明の便宜上、上記実施形態にて説明した部材と同じ機能を有する部材については、同じ符号を付記し、その説明を繰り返さない。以下では、上記相違点を中心に説明する。
【００５２】
本変形例でも、アンプ部１は、入力信号であるオーディオ信号（デジタル信号）を増幅してローパスフィルタ２を介して、出力音声信号としてフィードバック信号生成部３に出力する。
【００５３】
本変形例では、図３に示すよう、フィードバック信号生成部３は、ローパスフィルタ２の出力信号に基づいてフィードバック信号を生成する。具体的に、フィードバック信号生成部３は、スピーカ５の状態に応じたフィードバック信号を生成し、生成したフィードバック信号を増幅部１２（スイッチング回路）の駆動電源（アンプ電源）に供給する。
【００５４】
また、上記実施形態１および変形例１における構造では、ドライバの最低駆動電圧に電圧調整幅が支配される。一方、上記の構成によれば、増幅装置１００ｂは、フィードバックゲインの調整幅を大きく取ることができる。そのため、モーショナルフィードバックによるノイズ低減効果をさらに高めることができ、すなわち、増幅装置１００と同様な効果を奏することができる。
【００５５】
（変形例３）
上記実施形態では、増幅装置において、フィードバック信号生成部は、フィードバック信号をゲートドライバ回路の電源または増幅部の電源に供給する構成を説明したが、本発明はこれに限定されない。例えばフィードバック信号をローパスフィルタのサブ巻き線に供給する構成であってもよい。
【００５６】
図４は、本変形例に係る増幅装置１００ｃの要部構成のブロック図である。増幅装置１００ｃと上述の増幅装置１００、１００ａから１００ｂとの主な相違点は、フィードバック信号の供給先がさらに異なる。
【００５７】
なお、説明の便宜上、上記実施形態にて説明した部材と同じ機能を有する部材については、同じ符号を付記し、その説明を繰り返さない。以下では、上記相違点を中心に説明する。
【００５８】
本変形例でも、アンプ部１は、入力信号であるオーディオ信号（デジタル信号）を増幅してローパスフィルタ２を介して、出力音声信号としてフィードバック信号生成部３に出力する。
【００５９】
本変形例では、図４に示すよう、フィードバック信号生成部３は、ローパスフィルタ２の出力信号に基づいてフィードバック信号を生成する。具体的に、フィードバック信号生成部３は、スピーカ５の状態に応じたフィードバック信号を生成し、生成したフィードバック信号をローパスフィルタ２のサブ巻き線に供給する。
【００６０】
一例として、上述のサブ巻き線は磁気結合されたサブ巻き線であり、ローパスフィルタ２に使用されるインダクタを一次巻き線（メイン巻き線）とした場合の二次巻き線のことを指す。
【００６１】
上記の構成によれば、増幅装置１００ｃは、フィードバックゲインの調整幅を大きく取ることができる。そのため、モーショナルフィードバックによるノイズ低減効果をさらに高めることができ、すなわち、増幅装置１００と同様な効果を奏することができる。
【００６２】
（変形例４）
上記実施形態では、電流検出をフィードバック信号生成部３から取得する構成を説明したが、本発明はこれに限定されない。例えば他の構成であってもよい。
【００６３】
図５は、本変形例に係る増幅装置１００ｄの要部構成のブロック図である。図５に示すように、増幅装置１００ｄにおいて、電流検出は、ローパスフィルタ２の上記サブ巻き線から取得する。より具体的には、ローパスフィルタ２の上記サブ巻き線と電流ＡＭＰ３１とを接続する。この構成によっても、増幅装置１００と同様な効果を奏することができるとともに検出回路の簡略化を図ることができる。
【００６４】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００６５】
図６は、本実施形態に係る増幅装置１００ｅの要部構成のブロック図である。増幅装置１００ｅと上述の増幅装置１００および増幅装置１００ａとの主な相違点は、増幅装置１００ｅにデジタル信号処理部６を更に有することである。以下では、上記相違点を中心に詳細に説明する。
【００６６】
（デジタル信号処理部）
図６に示すように、デジタル信号処理部６は、上述した実施形態１およびその変形例に説明した増幅装置１００、１００ａ〜１００ｄの前段に配置されており、入力信号であるデジタル信号を処理する。
【００６７】
図６に示すように、デジタル信号処理部６において、デジタルフィードバック回路６４は、増幅装置１００または１００ａのアンプ部１の出力信号（ローパスフィルタ２への入力信号）を参照してフィードバック信号を生成する。
【００６８】
そして、デジタル信号処理部６において、前記フィードバック信号を基づいてパルス幅調整回路６２でデジタル信号のパルス幅を調整する。パルス幅を調整することによりアンプ部１の出力信号に含まれるノイズを抑えることができる。また、図６に示すデジタルサンプリング回路６１は、入力信号として入力されたデジタル信号に応じたデジタルサンプリングを行う。デットタイム生成回路６３は、増幅部１２を駆動するタイミングを調整するためのデッドタイムを発生させる。
【００６９】
また、増幅装置１００、１００ａ〜１００ｅのアンプ部１において、入力信号がデジタル信号であっても回路構成が簡略化されており、かつフィードバックが可能である。
【００７０】
しかしながら、アンプ部１１の出力信号を参照してパルス幅を調整するため、ローパスフィルタ２とスピーカ５との位相特性等による状態変数によっては適切にフィードバックされず、ノイズを確実に除去することができない場合がある。
【００７１】
そのため、本実施形態２では、増幅装置１００または１００ａのようなアナログ信号処理を行うアンプ部１を備え、スピーカ５の状態を、アンプ部１のゲートドライバ電源にフィードバックする構成を加えている。
【００７２】
これにより、増幅装置１００ｅにおいて、スピーカ５の状態に応じたフィードバック信号を得ることができ、またフィードバック先をデジタル信号処理で扱うパルス幅調整回路とは異なるゲートドライバ電源とすることで、両者の相乗効果による効果的なノイズ除去を実現することができる。
【００７３】
以上のように、増幅装置１００ｅにおいて、外部からの入力音声信号に対してデジタル信号処理を行うデジタル信号処理部６を更に備え、デジタル信号処理部６により処理された信号がゲートドライバ回路１１に入力される。
【００７４】
上記の構成によれば、増幅装置１００ｅは、外部からの入力音声信号に対してデジタル信号処理を行うデジタル信号処理部６を更に備えることによって、スピーカ５にて出力する出力音声信号に生じるノイズを好適に低減することができる。
【００７５】
〔まとめ〕
本発明の態様１に係る増幅装置（１００、１００ａ、１００ｄ、１００ｅ）は、ゲートドライバ回路（１１）と、外部からの入力音声信号に対してデジタル信号処理を行うデジタル信号処理部（６）であって、デジタル信号処理部（６）により処理された信号をゲートドライバ回路（１１）に入力するデジタル信号処理部（６）と、ゲートドライバ回路（１１）が出力するゲート信号によって駆動されるスイッチング素子を有する増幅部（１２）と、スピーカ（５）の状態に応じたフィードバック信号を生成し、生成したフィードバック信号をゲートドライバ回路（１１）の電源に供給するフィードバック信号生成部（３、３ａ）とを備えている。
【００７６】
上記の構成によれば、増幅装置（１００、１００ａ、１００ｄ、１００ｅ）は、ゲートドライバ回路（１１）と、増幅部（１２）と、フィードバック信号生成部（３、３ａ）とを備えることによって、スピーカ（５）にて出力する出力音声信号に生じるノイズを低減することができる。
【００７７】
本発明の態様２に係る増幅装置（１００ｂ）は、ゲートドライバ回路（１１）と、外部からの入力音声信号に対してデジタル信号処理を行うデジタル信号処理部（６）であって、デジタル信号処理部（６）により処理された信号をゲートドライバ回路（１１）に入力するデジタル信号処理部（６）と、ゲートドライバ回路（１１）が出力するゲート信号によって駆動されるスイッチング素子を有する増幅部（１２）と、スピーカ（５）の状態に応じたフィードバック信号を生成し、生成したフィードバック信号を増幅部（１２）の電源の電源に供給するフィードバック信号生成部（３、３ａ）とを備えている。この構成によれば、上記態様１と同様な効果を奏することができる。
【００７８】
本発明の態様３に係る増幅装置（１００、１００ａ〜１００ｂ、１００ｄ〜１００ｅ）は、上記態様１または２において、増幅部（１２）が出力する信号に作用するローパスフィルタ（２）を更に備え、フィードバック信号生成部（３、３ａ）には、ローパスフィルタ（２）が出力する信号が入力されてもよい。
【００７９】
本発明の態様４に係る増幅装置（１００ｃ）は、ゲートドライバ回路（１１）と、外部からの入力音声信号に対してデジタル信号処理を行うデジタル信号処理部（６）であって、デジタル信号処理部（６）により処理された信号をゲートドライバ回路（１１）に入力するデジタル信号処理部（６）と、ゲートドライバ回路（１１）が出力するゲート信号によって駆動されるスイッチング素子を有する増幅部（１２）と、増幅部（１２）が出力する信号に作用するローパスフィルタ（2）と、スピーカ（５）の状態に応じたフィードバック信号を生成し、生成したフィードバック信号をローパスフィルタ（２）のサブ巻き線に供給するフィードバック信号生成部（３）と、を備え、フィードバック信号生成部（３）には、ローパスフィルタ（２）が出力する信号が入力される。この構成によれば、上記態様１と同様な効果を奏することができる。
【００８０】
本発明の態様５に係る増幅装置（１００、１００ａ〜１００ｅ）は、上記態様１から４の何れかにおいて、フィードバック信号生成部（３、３ａ）は、スピーカ（５）の状態を示す前記フィードバック信号として、スピーカ（５）を駆動する電流および電圧に基づいてスピーカ（５）の振動板の加速度を示す加速度信号をゲートドライバ回路（１１）の電源に供給してもよい。
【００８１】
上記の構成によれば、増幅装置（１００、１００ａ〜１００ｅ）は、スピーカ（５）の振動板の加速度を示す加速度信号をゲートドライバ回路（１１）の電源に供給することによって、スピーカ（５）にて出力する出力音声信号に生じるノイズをより好適に低減することができる。
【００８２】
本発明の態様６に係る増幅装置（１００、１００ａ〜１００ｅ）は、上記態様１から５の何れかにおいて、フィードバック信号生成部（３、３ａ）は、スピーカ（５）の状態を示す前記フィードバック信号として、スピーカ（５）を駆動する電流および電圧に基づいてスピーカ（５）の振動板の位置を示す位置信号をゲートドライバ回路（１１）の前記電源に供給してもよい。
【００８３】
上記の構成によれば、増幅装置（１００、１００ａ〜１００ｅ）は、スピーカ（５）の振動板の位置を示す位置信号をゲートドライバ回路（１１）の電源に供給することによって、スピーカ（５）にて出力する出力音声信号に生じるノイズをより一層好適に低減することができる。
【００８４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８５】
１００、１００ａ〜１００ｅ  増幅装置
１  アンプ部
１１  ゲートドライバ回路
１２  増幅部（スイッチング回路）
２  ローパスフィルタ
３、３ａ  フィードバック信号生成部
３１  電流ＡＭＰ
３２  電圧ＡＭＰ
３３  乗算器
３４  第１の微分回路
３５  第２の微分回路
３６  第１のミキサー
３７  第１のフィルタ
３８  第２のフィルタ
３９  反転ＡＭＰ
４０  第２のミキサー
４１  電圧操作パワー回路
５  スピーカ
６  デジタル信号処理部
６１  デジタルサンプリング回路
６２  パルス幅調整回路
６３  デットタイム生成回路
６４  デジタルフィードバック回路
ＳＧ１  加速度信号
ＳＧＰ１  加速度信号経路（加速度信号線）
ＳＧ２  速度信号
ＳＧＰ２  速度信号経路（速度信号線）
ＳＧ３  ポジティブフィードバック信号
ＳＧＰ３  ポジティブフィードバック信号経路（ポジティブフィードバック信号線）
ＳＧ４  ネガティブフィードバック信号
ＳＧＰ４  ネガティブフィードバック信号経路（ネガティブフィードバック信号線）
ＳＧ５  位置信号
ＳＧＰ５  位置信号経路（位置信号線）
【図１】
2020195011.tif 000003
【図２】
2020195011.tif 000004
【図３】
2020195011.tif 000005
【図４】
2020195011.tif 000006
【図５】
2020195011.tif 000007
【図６】
2020195011.tif 000008